(57)【特許請求の範囲】
【請求項１】
断面略Ｕ字形状の継手本体と、継手本体の内面に沿う断面略Ｕ字形状の押さえ片とよりなり、継手本体の内面上方に押さえ片が配設され、継手本体と押さえ片との間に断面略Ｕ字形状の軒樋挿入隙間が形成された軒樋継手において、継手本体の内面の中央部に幅方向に沿って複数の突起体が設けられ、押さえ片の外面に軒樋挿入方向に縦長の複数の係止溝が突起体の幅方向の位置と同符合の位置に設けられ、押さえ片の係止溝に継手本体の突起体が挿入係止されていることを特徴とする軒樋継手。
【発明の詳細な説明】
【０００１】
【発明の属する技術分野】
本発明は、軒樋と軒樋とを接続する軒樋継手に関する。
【０００２】
【従来の技術】
従来の軒樋継手は、例えば、実公平４−４８２４８号公報や、実公昭６２−８９４２４号公報に記載されて知られている。上記前者の公報記載の軒樋継手は、断面略Ｕ字形状の継手本体と、継手本体の内面に沿う断面略Ｕ字形状の押さえ片とよりなり、継手本体の内面上方に押さえ片が配設され、継手本体と押さえ片との間に断面略Ｕ字形状の軒樋挿入隙間が形成されたものであって、この軒樋挿入隙間に軒樋の端部を挿入して接続使用されている。
【０００３】
また、後者の実公昭６２−８９４２４号公報記載の軒樋継手は、断面略Ｕ字形状の継手本体と、継手本体の内面に沿う断面略Ｕ字形状の押さえ片とよりなり、継手本体の内面に嵌合溝が設けられ、押さえ片の外面に突起体が設けられ、継手本体の嵌合溝に押さえ片の突起体を挿入して継手本体の内面上方に押さえ片を配設し、継手本体と押さえ片との間に軒樋挿入隙間を形成したものである。
【０００４】
【発明が解決しようとする課題】
しかしながら、屋根の周囲全てに軒樋が取り付けられる寄棟屋根等に軒樋を施工する時、一方の軒樋と他方の軒樋とが僅かの間隙を隔てて向き合っている軒樋の最終納め部に上記前者の実公平４−４８２４８号公報記載の従来の軒樋継手を取り付けるには、最終納め部の一方の軒樋と他方の軒樋の間隙を押し広げないと、軒樋継手の軒樋挿入隙間に軒樋端部を挿入することができない。このため、軒樋やこの軒樋に接着接合された施工済の軒樋曲り等に無理な力がかかり、この軒樋曲りから漏水するという問題がある。
【０００５】
また、上記軒樋の最終納め部に前記後者の実公昭６２−８９４２４号公報記載の従来の軒樋継手を取り付けるときには、最終納め部の一方の軒樋と他方の軒樋の間隙を押し広げなくても取り付けることができるが、押さえ板が一方の軒樋の側に偏って取り付けられると、他方の軒樋の押さえが不十分となって軒樋継手から外れるという問題がある。
【０００６】
本発明は上記の従来技術の諸問題を解決するためになされたものであって、本発明の目的は、寄棟屋根等の軒樋施工時に軒樋の最終納めが容易で外れ難い軒樋継手を提供することである。
【０００７】
【課題を解決するための手段】
本発明は、上記目的を達成するためになされたものであって、本発明の軒樋継手は、断面略Ｕ字形状の継手本体と、継手本体の内面に沿う断面略Ｕ字形状の押さえ片とよりなり、継手本体の内面上方に押さえ片が配設され、継手本体と押さえ片との間に断面略Ｕ字形状の軒樋挿入隙間が形成されたものであって、継手本体の内面の中央部に幅方向に沿って複数の突起体が設けられ、押さえ片の外面に軒樋挿入方向に縦長の複数の係止溝が突起体の幅方向の位置と同符合の位置に設けられ、押さえ片の係止溝に継手本体の突起体が挿入係止されているものである。
【０００８】
（作用）
本発明の軒樋継手を寄棟屋根の軒樋の最終納め部に使用した場合について説明しながら、本発明の作用を述べる。
本発明の軒樋継手は、断面略Ｕ字形状の継手本体と、継手本体の内周に沿う断面略Ｕ字形状の押さえ片とよりなり、継手本体の内面上方に押さえ片が配設され、継手本体と押さえ片との間に断面略Ｕ字形状の軒樋挿入隙間が形成されたものであるから、突き合わされた軒樋の両端部下方から継手本体をあてがい、この継手本体の上方から押さえ片を重合すると、継手本体と押さえ片との間に形成された軒樋挿入隙間に軒樋端部が挟み込まれる。
【０００９】
そして、本発明の軒樋継手は、継手本体の内面の中央部に幅方向に沿って複数の突起体が設けられ、押さえ片の外面に軒樋挿入方向に縦長の複数の係止溝が突起体の幅方向の位置と同符合の位置に設けられ、押さえ片の係止溝に継手本体の突起体が挿入係止されているものであるから、継手本体の上方に押さえ片が軒樋挿入方向に摺動自在に挿着されている。
【００１０】
そこで、継手本体の突起体を押さえ片の係止溝に挿入係止し、次いで、一方の軒樋の側に押さえ板を摺動して移動すると、他方の軒樋端部上面が露出するので、この他方の軒樋端部上面に接着剤を塗布する。同様にして、押さえ板を上記と反対方向に移動して一方の軒樋端部上面にも接着剤を塗布した後、押さえ板を継手本体の中央部に戻して両軒樋端部と押さえ板とを接着接合する。
【００１１】
従って、本発明の軒樋継手は、突き合わされた軒樋を押し広げなくても容易に挿着して接続できるので、軒樋や軒樋曲りに無理な力がかかることはない。
また、本発明の軒樋継手は、継手本体が突き合わされた軒樋の一方側に偏ってあてがわれても、押さえ片が軒樋挿入方向に摺動自在になされているので、押さえ片を移動して両側の軒樋に均等にかかるようにすることができ、軒樋が外れることはない。
【００１２】
【発明の実施の形態】
次に、本発明の実施の形態を図面を参照しながら説明する。
図１〜図５は、本発明の一実施例であって、図１は軒樋継手を分解して示したものであって、（イ）は継手本体の斜視図、（ロ）は押さえ板の斜視図、（ハ）は（ロ）図のＡ−Ａ線における部分断面図、図２は軒樋継手の斜視図、図３（イ）は図２のＢ−Ｂ線における断面図、図３（ロ）は図３（イ）のＣ部拡大断面図、図４は軒樋継手の使用状態における横断面図、図５は寄棟屋根の周囲に配設された軒樋を示す説明図である。
１は軒樋継手、２は継手本体、２３は突起体、３は押さえ板、３２は係止溝、４は軒樋である。
【００１３】
本実施例の軒樋継手１は、断面略Ｕ字形状の継手本体２と、この継手本体２の内周に沿う断面略Ｕ字形状の押さえ板３とよりなっていて、継手本体２と押さえ板３はいずれも硬質塩化ビニル樹脂で形成されている。図２と図３に示すように、上記継手本体２の内面２１の上方には押さえ板３が配設され、継手本体２と押さえ板３との間に断面Ｕ字形状の軒樋挿入隙間１１が形成されるようになっている。
【００１４】
図１（イ）に示すように、上記継手本体２の内面２１の中央部には、幅方向に沿って断面四角形状の仕切２２が設けられ、この仕切２２に複数（５個）の球状形状の突起体２３、２３が突設されている。また、図１（ロ）に示すように、上記押さえ板３の外面３１には、符号Ｘで示す軒樋挿入方向に縦長の複数（上記突起体２３と同じ数の５個）の係止溝３２、３２が設けられ、この係止溝３２が設けられている位置は前記突起体２３の幅方向の位置と符合する位置になっている。上記押さえ板３の係止溝３２には、継手本体２の突起体２３が挿入係止されている。
【００１５】
次に、本実施例の軒樋継手１を図５に示す寄棟屋根６の軒樋４の最終納め部７に使用した場合について説明しながら、本発明の作用を述べる。
本実施例の軒樋継手１は、断面略Ｕ字形状の継手本体２と、継手本体２の内周に沿う断面略Ｕ字形状の押さえ片３とよりなり、継手本体２の内面２１上方に押さえ片３が配設され、継手本体２と押さえ片３との間に断面略Ｕ字形状の軒樋挿入隙間１１が形成されたものであるから、突き合わされた軒樋４、４の両端部下方から継手本体２をあてがい、この継手本体２の上方から押さえ片３を重合すると、継手本体２と押さえ片３との間に形成された軒樋挿入隙間１１に軒樋４、４の端部が挟み込まれる。
【００１６】
そして、本実施例の軒樋継手１は、継手本体２の内面２１の中央部に幅方向に沿って複数の突起体２３、２３が設けられ、押さえ片３の外面３１に軒樋挿入方向に縦長の複数の係止溝３２、３２が突起体２３の幅方向の位置と同符合の位置に設けられ、押さえ片３の係止溝３２に継手本体２の突起体２３が挿入係止されているものであるから、継手本体２の上方に押さえ片３が軒樋挿入方向に摺動自在に挿着されている。
【００１７】
そこで、継手本体２の突起体２３を押さえ片３の係止溝３２に挿入係止し、次いで、一方の軒樋４の側に押さえ板３を摺動して移動すると、他方の軒樋４の端部上面が露出するので、この他方の軒樋４の端部上面に接着剤を塗布する。同様にして、押さえ板３を上記と反対方向に移動して一方の軒樋４の端部上面にも接着剤を塗布した後、押さえ板３を継手本体２の中央部に戻して両軒樋４、４の端部と押さえ板３とを接着接合する。
従って、本実施例の軒樋継手１は、突き合わされた軒樋４、４を押し広げなくても容易に挿着して接続できるので、軒樋４や軒樋曲り５に無理な力がかかることはない。
【００１８】
また、本実施例の軒樋継手１は、継手本体２が突き合わされた軒樋４、４の一方側に偏ってあてがわれても、押さえ片３が軒樋挿入方向に摺動自在になされているので、押さえ片３を移動して両側の軒樋４、４に均等にかかるようにすることができ、軒樋４が外れることはない。
【００１９】
【発明の効果】
本発明の軒樋継手を、寄棟屋根の周囲に取り付けられる軒樋の最終納め部に使用すると、この最終納め部において突き合わされた軒樋を押し広げなくても容易に挿着して接続でき、周囲の軒樋や軒樋曲りに無理な力がかかることはないので、軒樋と軒樋曲りとの接続部から雨水が漏水することを防止できるという効果がある。
また、押さえ片が軒樋挿入方向に摺動自在になされているので、押さえ片を移動して突き合わされた両側の軒樋に均等にかかるようにすることができ、軒樋が外れ難くいように施工できるという効果がある。
【図面の簡単な説明】
【図１】本発明の一実施例であって、軒樋継手を分解して示したものであって、（イ）は継手本体の斜視図、（ロ）は押さえ板の斜視図、（ハ）は（ロ）図のＡ−Ａ線における部分断面図である。
【図２】軒樋継手の斜視図。
【図３】（イ）図は図２のＢ−Ｂ線における断面図、（ロ）図は図３（イ）図のＣ部拡大断面図。
【図４】軒樋継手の使用状態における横断面図。
【図５】寄棟屋根の周囲に配設された軒樋を示す説明図である。
【符号の説明】
１                軒樋継手
１１              軒樋挿入隙間
２                継手本体
２１              内面
２３              突起体
３                押さえ片
３１              外面
３２              係止溝
【図１】
0003577143.tif 000002
【図２】
0003577143.tif 000003
【図３】
0003577143.tif 000004
【図４】
0003577143.tif 000005
【図５】
0003577143.tif 000006